(57)【要約】【課題】  フックケース１１の格納室Ｒ内にトーションスプリング３３のバネ力に抗して保持して格納されているフック部材１２を、回動規制を解除する操作をすることにより、格納室Ｒから外部へ回動させて横方向に突出した使用可能状態とする格納式フック装置Ｈにおいて、フック部材１２の回動動作のバラツキを防止または大幅に抑制する。【解決手段】フック部材１２を回動動作させる作動機構３０を、基端部をフックケース１１に回動可能に軸支した第１作動レバー３１、基端部をフック部材１２の軸支部に一体回転可能に連結した第２作動レバー３２、両作動レバー３１，３２を互いに作動的に連結する連結機構３０ａ、及び、第１作動レバー３１を回動動作すべく付勢するトーションスプリング３３を備える構成として、連結機構３０ａを、第１作動レバー３１の回動動作時には第２作動レバー３２が回動してフック部材１２を外部へ突出動作すべく機能する構成とした。【選択図】  図５
2008029367.tif 000002
【特許請求の範囲】
【請求項１】
一側に開口する格納室を有するフックケースと、前記フックケースの前記格納室内にて基端部を支持軸を介して回動可能に軸支されて同格納室内に格納されるフック部材と、前記フック部材を回動動作して前記格納室の開口を通して外部へ突出させて使用可能状態とすべく付勢するトーションスプリングと、前記トーションスプリングに抗して前記フック部材の外部への回動動作を規制するとともに同フック部材の押込み動作により同フック部材の回動動作の規制を解除すべく機能する保持機構を備える格納式フック装置であり、当該格納式フック装置は、基端部を前記フックケースに回動可能に軸支された第１の作動レバーと、基端部を前記フック部材の基端部における軸支部に一体回転可能に連結されて前記第１の作動レバーの先端側に延びる第２の作動レバーと、これら両作動レバーのいずれか一方に設けられたカム溝及びいずれか他方に設けられて前記カム溝に摺動可能に係合してこれら両作動レバーを互いに作動的に連結するカムピンを有する連結機構を備え、前記連結機構は、前記第１の作動レバーの回動動作時には第２の作動レバーを回動して前記フック部材を外部へ突出動作すべく機能し、前記トーションスプリングは前記第１の作動レバーを回動動作すべく付勢していることを特徴とする格納式フック装置。
【請求項２】
請求項１に記載の格納式フック装置において、前記第１の作動レバーは前記フックケースの側壁に外側へ突設した支持軸に回動可能に軸支され、かつ、前記第２の作動レバーは前記フック部材における軸支部の先端に一体回転可能に連結されて前記フックケースの側壁の外側に位置し、前記トーションスプリングは前記第１の作動レバーの軸支部の外周に嵌合された状態にて一端を同第１の作動レバーに係止されかつ他端を前記フックケースの外側に係止して組付けられていることを特徴とする格納式フック装置。
【発明の詳細な説明】
【技術分野】
【０００１】
本発明は、自動車の車室内等に配設されて、衣服等を掛けるために利用される格納式フック装置に関する。
【背景技術】
【０００２】
格納式フック装置の一形式として、一側に開口する格納室を有するフックケースと、前記フックケースの前記格納室内にて基端部を支持軸を介して回動可能に軸支されて同格納室内に格納されるフック部材と、前記フック部材を前記格納室の開口を通して外部に突出させて使用可能状態とすべく付勢するトーションスプリングと、前記トーションスプリングに抗して前記フック部材の外部への回動動作を規制するとともに同フック部材の押込み動作により同フック部材の回動動作の規制を解除すべく機能する保持機構を備える形式の格納式フック装置がある（特許文献１を参照）。
【０００３】
当該形式の格納式フック装置においては、トーションスプリングは、フックケース内にてフック部材を軸支する支持軸の外周に嵌合された状態で、その一端をフックケースに係止されつその他端をフック部材に係止されている。トーションスプリングは、かかる組付状態で、フック部材を回動してフックケースの格納室の開口を通して外部へ突出すべく付勢している。また、当該形式の格納式フック装置においては、フック部材を軸支する支持軸の外周とフックケースの側壁の支持軸が挿通する貫通孔との間に、弾性体からなるシムが介在されていて、シムと支持軸の嵌合抵抗によって、トーションスプリングの戻り速度の調整がなされている。また、トーションスプリングの戻り速度の調整により、フック部材を格納室の開口を通して外部へ突出させて使用可能状態とすべき回動速度が調整されている。
【特許文献１】実開平７−１７６５５号公報
【発明の開示】
【発明が解決しようとする課題】
【０００４】
ところで、当該形式の格納式フック装置においては、フック部材の外部へ突出する回動角度および回動量が少なくことから、トーションスプリングのバネ力の選定が難しく、フック部材の外部へ突出する回動速度が速かったり遅かったり、或いは、フック部材の回動が途中で止まる等、フック部材の回動動作にバラツキが生じるおそれがある。また、トーションスプリングは、フックケース内にて、フック部材を軸支する支持軸の外周に嵌合した状態でフックケースとフック部材間に組付ける組付構造を採っているため、トーションスプリングの組付け性がよくない。
【０００５】
従って、本発明の第１の目的は、当該形式の格納式フック装置において、トーションスプリングのフック部材に対する付勢力の伝達経路を考慮することによって、フック部材における回動動作のバラツキの発生を防止または大幅に抑制することにある。また、本発明の第２の目的は、当該形式の格納式フック装置において、トーションスプリングの組付け部位を考慮することにより、トーションスプリングの組付け性を向上させるととともに、組付け性の向上に起因してトーションスプリングの選定の自由度を高めて、フック部材の回動動作の安定性を図ることにある。
【課題を解決するための手段】
【０００６】
本発明は、格納式フック装置に関するもので、本発明が適用対象とする格納式フック装置は、下記に示す形式の格納式フック装置である。すなわち、本発明は、一側に開口する格納室を有するフックケースと、前記フックケースの前記格納室内にて基端部を支持軸を介して回動可能に軸支されて同格納室内に格納されるフック部材と、前記フック部材を回動動作して前記格納室の開口を通して外部へ突出させて使用可能状態とすべく付勢するトーションスプリングと、前記トーションスプリングに抗して前記フック部材の外部への回動動作を規制するとともに同フック部材の押込み動作により同フック部材の回動動作の規制を解除すべく機能する保持機構を備える格納式フック装置である。
【０００７】
しかして、本発明に係る格納式フック装置においては、基端部を前記フックケースに回動可能に軸支された第１の作動レバーと、基端部を前記フック部材における軸支部に一体回転可能に連結されて前記第１の作動レバーの先端側に延びる第２の作動レバーと、これら両作動レバーのいずれか一方に設けられたカム溝及びいずれか他方に設けられて前記カム溝に摺動可能に係合してこれら両作動レバーを互いに作動的に連結するカムピンを有する連結機構を備え、前記連結機構は、前記第１の作動レバーの回動動作時には第２の作動レバーを回動して前記フック部材を外部へ回動動作すべく機能し、かつ、前記トーションスプリングは前記第１の作動レバーを回動動作すべく付勢していることを特徴とするものである。
【０００８】
本発明に係る格納式フック装置において、前記第１の作動レバーを、前記フックケースの側壁に外側へ突設した支持軸に回動可能に軸支し、かつ、前記第２の作動レバーを、前記フック部材における軸支部の先端に一体回転可能に連結して前記フックケースの側壁の外側に位置させ、前記トーションスプリングを、前記第１の作動レバーの軸支部の外周に嵌合させた状態にて一端を同第１の作動レバーに係止しかつ他端を前記フックケースの外側に係止して組付けるように構成することができる。
【発明の効果】
【０００９】
本発明に係る格納式フック装置においては、従来のこの種形式の格納式フック装置と同様、トーションスプリングは、フック部材を回動動作して格納室の開口を通して外部へ突出させて使用可能状態とすべく付勢していて、フック部材の非使用時には、フック部材は保持機構の作用でその回動動作を規制されて、フックケースの格納室内に格納された状態にある。格納状態にあるフック部材を、格納室の開口を通して回動して外部へ突出させて使用可能状態にするには、格納状態にあるフック部材を格納室の奥側へ押動操作する。これにより、フック部材の奥側への回動動作に起因して、保持機構によるフック部材に対する回動規制が解除され、フック部材に対する押動操作を解除すれば、フック部材は、トーションスプリングの付勢作用によって回動動作し、自ら、格納室の開口を通して回動して外部へ突出して使用可能状態となる。
【００１０】
しかして、本発明に係る格納式フック装置においては、フック部材に対するトーションスプリングのバネ力の伝達経路を、従来のこの種形式の格納式フック装置とは全く異なる経路に構成している。すなわち、本発明に係る格納式フック装置は、基端部をフックケースに回動可能に軸支された第１の作動レバーと、基端部をフック部材における軸支部に一体回転可能に連結されて第１の作動レバーの先端側に延びる第２の作動レバーと、これら両作動レバーのいずれか一方に設けられたカム溝及びいずれか他方に設けられて前記カム溝に摺動可能に係合してこれら両作動レバーを互いに作動的に連結するカムピンを有する連結機構を備え、連結機構を、第１の作動レバーの回動動作時には第２の作動レバーが回動してフック部材を外部へ回動動作すべく構成するとともに、トーションスプリングを第１の作動レバーを回動動作すべく付勢する構成としている。
【００１１】
かかる構成の格納式フック装置においては、格納状態にあるフック部材を格納室の奥側へ押動操作すると、保持機構によるフック部材に対する回動規制が解除され、フック部材に対する押動操作を解除すれば、第１の作動レバーがトーションスプリングのバネ力の作用によって回動し、連結機構を介して第２の作動レバーを回動動作する。第２の作動レバーは、フック部材と一体回転可能に連結していることから、フック部材は、第２の作動レバーと一体に回動動作して、フックケースの格納室の開口を通して外部へ突出して使用可能状態となる。
【００１２】
このように、本発明に係る格納式フック装置においては、トーションスプリングのバネ力に起因する作動力を第１の作動レバー、連結機構、及び第２の作動レバーを介してフック部材に伝達して、フック部材を回動動作させるものであって、トーションスプリングの作動力がフック部材の回動動作に対してフラット状態で作用することから、フック部材の回動速度が一定になり、フック部材を円滑に回動動作させることができる。換言すれば、フック部材における回動動作のバラツキの発生を防止または大幅に抑制することができることになる。
【００１３】
本発明に係る格納式フック装置においては、第１の作動レバーをフックケースの側壁に外側へ突設した支持軸に回動可能に軸支し、かつ、第２の作動レバーをフック部材における軸支部の先端に一体回転可能に連結してフックケースの側壁の外側に位置させ、トーションスプリングを、第１の作動レバーの軸支部の外周に嵌合させた状態にて一端を第１の作動レバーに係止しかつ他端をフックケースの外側に係止して組付けるように構成することができる。かかる構成を採用すれば、トーションスプリングの組付け性を向上させるととともに、組付け性の向上に起因してトーションスプリングの選定の自由度を高めて、フック部材の回動動作の安定性を図ることができる。
【発明を実施するための最良の形態】
【００１４】
本発明は、格納式フック装置に関する。本発明に係る格納式フック装置は、一側に開口する格納室を有するフックケースと、フックケースの格納室内にて基端部を支持軸を介して回動可能に軸支されて同格納室内に格納されるフック部材と、フック部材を回動動作して格納室の開口を通して外部へ突出させて使用可能状態とすべく付勢するトーションスプリングと、トーションスプリングに抗してフック部材の外部への回動動作を規制するとともに同フック部材の押込み動作により同フック部材の回動動作の規制を解除すべく機能する保持機構を備える形式のフック装置である。
【００１５】
図１及び図２には、本発明に係る格納式フック装置の一実施形態を示している。図１は、当該実施形態に係る格納式フック装置Ｈであって、作動機構の一部を断面して示す正面図であり、図２は、当該格納式フック装置Ｈを分解して各構成部材を示す分解斜視図である。当該格納式フック装置Ｈは、フック装置本体１０を構成するフックケース１１及びフック部材１２、保持機構２０を構成するトレース部材２１及び板バネ２２、作動機構３０を構成する第１作動レバー３１、第２作動レバー３２及びトーションスプリング３３を主要構成部材としている。第１作動レバー３１は、本発明における第１の作動レバーに該当し、第２作動レバー３２は、本発明における第２の作動レバーに該当する。
【００１６】
フック装置本体１０を構成するフックケース１１は、断面コ字状の箱体であって、一側に開口する収納室Ｒを備えている。フック部材１２は、円柱状の基部１２ａと、同基部１２ａの一部から突出して延びる鈎形状のフック部１２ｂとからなり、図３及び図４に示すように、支持軸１３を介して、フックケース１１内に回動可能に軸支されている。支持軸１３は、フックケース１１の左右の壁部の一方における貫通孔１１ａ、フック部材１２の基部１２ａの貫通孔１２ｃ、及び、フックケース１１の左右の壁部の他方における貫通孔１１ｂを挿通していて、フック部材１２をその基部１２ａにて回動可能に軸支している。これにより、フック部材１２は、フックケース１１の開口部を通して収納室Ｒの内外へ回動可能に軸支されている。
【００１７】
保持機構２０は、フック部材１２の回動動作を規制する機能、及び、解除操作によってフック部材１２の回動動作の規制を解除する機能を有するもので、トレース部材２１、板バネ２２、及び、フック部材１２の基部１２ａの外周面の一部に設けたカム溝２３とにより構成されている。当該保持機構２０は、冒頭の特許文献１にて教示している従来公知のものであり、トレース部材２１はコ字状を呈するピンであって、ピン状の取付脚部２１ａにてフックケース１１の奥壁部の下方に外側から取付けられて、ピン状のトレース部２１ｂは、奥壁部に設けた貫通孔を通してカム溝２３のカム面側に延びている。板バネ２２は、フックケース１１の奥壁部の下方の外側に取付けられていて、トレース部材２１のトレース部２１ｂをカム溝２３のカム面に弾撥的に当接させている。
【００１８】
保持機構２０を構成するカム溝２３は、冒頭の特許文献１にて教示されているように、特殊なカム形状に形成されていて、トレース部材２１のトレース部２１ｂを係止部にて係止してフック部材１２の回動動作を規制する第１の機能と、当該係止状態を解除された状態では、フック部材１２を略９０度の回動動作を許容する第２の機能を有している。
【００１９】
当該保持機構２０を装備している当該格納式フック装置Ｈにおいては、後述する作動機構３０を構成するトーションスプリング３３のバネ力に起因する作動力がフック部材１２に常時付与されているが、トレース部材２１のトレース部２１ｂがカム溝２３の係止部に係止されている状態では、フック部材１２の回動動作を規制された状態にあって、フック部材１２は、図３に示すように、フックケース１１の格納室Ｒ内に起立状態に保持されて格納されている。この格納状態にあるフック部材１２を使用可能な状態にするには、格納状態にあるフック部材１２に対して、図３に示す矢印Ａ方向に押動操作する。これにより、トレース部材２１におけるトレース部２１ｂのカム溝２３の係止部に対する係止が解除され、フック部材１２の回動動作の規制が解除される。
【００２０】
作動機構３０は、第１作動レバー３１、第２作動レバー３２及びトーションスプリング３３を主要構成部材とするもので、第１作動レバー３１と第２作動レバー３２間には、両作動レバー３１，３２を互いに作動的に連結する連結機構３０ａを備えている。
【００２１】
作動機構３０を構成する第１作動レバー３１は、そのレバー本体３１ａの基端部に設けた円筒状の軸支部３１ｂを、フックケース１１の図示右側壁部に突設されている支持軸１１ｃに外嵌した状態で回動可能に軸支され、また、第２作動レバー３２は、フックケース１１の図示右側壁部に沿って位置して、支持軸１３を介して回動可能に軸支されているフック部材１２の貫通孔１２ｃの一側に一体回転可能に連結されている。第１作動レバー３１及び第２作動レバー３２においては、それらの先端部が互いに対向して延びていて、連結機構３０ａを介して、互いに作動的に連結している。
【００２２】
なお、第２作動レバー３２は、フック部材１２を回動可能に軸支する支持軸１３の外周に嵌合してフック部材１２の貫通孔１２ｃに嵌合して一体回転可能に連結しているが、支持軸１３に対しては、可撓性のシム１３ａを介して嵌合している。また、支持軸１３は、フック部材１２の貫通孔１２ｃの他端部では、シム１３ｂを介して貫通している。これにより、両シム１３ａ，１３ｂは、支持軸１３とフック部材１２間に嵌合抵抗を付与して、フック部材１２に対して所定の回動荷重を付与している。
【００２３】
連結機構３０ａは、図１、図５及び図６に示すように、第１作動レバー３１の先端部に設けたカムピン３４と、第２作動レバー３２の先端部に設けたカム溝３５にて構成されている。カム溝３５は、第２作動レバー３２の基端側の軸支部から先端側へ略くの字に屈曲して延びる形状を呈しているもので、第１作動レバー３１のレバー本体３１ａの先端部に設けたカムピン３４がカム溝３５内に挿入されている。カムピン３４は、カム溝３５内をその長手方向に摺動可能であって、当該連結機構３０ａは、第１作動レバー３１と第２作動レバー３２を、それらの先端部にて、互いに作動的に連結している。
【００２４】
作動機構３０を構成するトーションスプリング３３においては、そのコイル部３３ａが第１作動レバー３１を軸支する支持軸１１ｃの外周に嵌合されていて、その一端部３３ｂをフックケース１１の図示右側壁部に係止され、かつ、その他端部３３ｃを第１作動レバー３１のレバー本体３１ａの一側縁部３１ｃに係止されている。トーションスプリング３３のかかる組付け状態では、トーションスプリング３３のバネ力は、第１作動レバー３１をその基端部３１ｂの軸支部を中心に上方へ持ち上げるべく作用するように設定されている。
【００２５】
当該作動機構３０においては、その作動上、カムピン３４がカム溝３５の基端側に位置している状態では、フック部材１２が回動起立してフックケース１１の格納室Ｒ内に起立状で格納するように設定され（図５参照）、カムピン３４がカム溝３５の先端側に位置している状態では、フック部材１２が回動倒伏してフックケース１１の格納室Ｒ内から横倒し状に突出するように設定されている（図６参照）。当該トーションスプリング３３においては、フック部材１２が起立状態で格納されている状態で、最大のバネ力が第２作動レバー３２に作用するように、第１作動レバー３１に組付ける組付構造となっている。
【００２６】
このように構成された格納式フック装置Ｈにおいては、従来のこの種形式の格納式フック装置と同様、、トーションスプリング３３は、フック部材１２を回動動作して格納室Ｒの開口を通して外部へ突出させて使用可能状態とすべく付勢していて、フック部材１２の非使用時には、フック部材１２は保持機構２０の作用でその回動動作を規制されていて、図３及び図５に示すように、フックケース１１の格納室Ｒ内に格納された状態にある。
【００２７】
このように格納状態にあるフック部材１２を、格納室Ｒの開口を通して外部へ突出させて使用可能状態にするには、格納状態にあるフック部材１２を格納室Ｒの奥側（図３の矢印Ａ方向）へ押動操作する。これにより、フック部材１２の奥側への回動動作に起因して、保持機構２０によるフック部材１２に対する回動規制が解除され、フック部材１２に対する押動操作を解除すれば、フック部材１２は、トーションスプリング３３の付勢作用によって、支持軸１３を回動中心Ｂとして回動動作し、図４及び図６に示すように、自ら格納室Ｒの開口を通して外部へ突出して使用可能状態となる。
【００２８】
ところで、当該格納式フック装置Ｈにおいては、フック部材１２に対するトーションスプリング３３のバネ力の伝達経路を、従来のこの種形式の格納式フック装置とは全く異なる経路に構成している。当該経路は、当該格納式フック装置Ｈが装備している作動機構３０にて構成されている。当該作動機構３０は、第１作動レバー３１、第２作動レバー３２、第１作動レバー３１に組付けたトーションスプリング３３、及び、両作動レバー３１，３２を互いに作動的に連結する連結機構３０ａにて構成されている。かかる構成の作動機構３０によれば、トーションスプリング３３のバネ力により第１作動レバー３１が回動し、第１作動レバー３１の回動動作時には、第２作動レバー３２が回動してフック部材１２を外部へ回動動作すべく機能する。
【００２９】
当該格納式フック装置Ｈにおいては、フックケース１１の格納室Ｒ内に起立状態に格納されているフック部材１２を格納室Ｒの奥側へ押動操作すると、保持機構２０によるフック部材１２に対する回動規制が解除され、フック部材１２に対する押動操作を解除すれば、第１作動レバー３１がトーションスプリング３３のバネ力の作用によって回動し、連結機構３０ａを介して第２作動レバー３２を回動動作させる。第２作動レバー３２は、フック部材１２と一体回転可能に連結していることから、フック部材１２は、第２作動レバー３２と一体に回動動作して、フックケース１１の格納室Ｒの開口を通して外部へ突出して使用可能状態となる。
【００３０】
また、当該格納式フック装置Ｈにおいては、フックケース１１の格納室Ｒ内から横方向に突出して使用可能状態にあるフック部材１２を格納室Ｒ内に起立状態に格納するには、図４に示す横方向に突出しているフック部材１２の先端部を持ち上げて、上方及び後方へ回動動作させる。これにより、作動機構３０を構成する第２作動レバー３２がフック部材１２と一体に同方向に回動し、第２作動レバー３２に作動的に連結している第１作動レバー３１の先端部を押し下げつつ回動動作させ、同時に、保持機構２０を構成するトレース部材２１のトレース部２１ｂを、フック部材１２に形成されているカム溝２３のカム面を相対的に摺動させる。トレース部材２１のトレース部２１ｂは、最終的には、カム溝２３が有する係止部に係止される。これにより、保持機構２０は、回動復帰したフック部材１２の回動を規制して、起立状態に復帰したフック部材１２を、フックケース１１の格納室Ｒ内に格納保持する。
【００３１】
このように、当該格納式フック装置Ｈにおいては、トーションスプリング３３のバネ力に起因する作動力を第１作動レバー３１、連結機構３０ａ、及び、第２作動レバー３２を介してフック部材１２に伝達してフック部材１２を回動動作させるものであって、トーションスプリング３３の作動力がフック部材１２の回動動作に対してフラット状態で作用することから、フック部材１２の回動速度が一定になり、フック部材１２を円滑に回動動作させることができる。換言すれば、フック部材１２における回動動作のバラツキの発生を防止または大幅に抑制することができる。
【００３２】
また、当該格納式フック装置Ｈにおいては、第１作動レバー３１をその軸支部３１ｂにて、フックケース１１の側壁に外側へ突設した支持軸１１ｃに外嵌して回動可能に軸支し、かつ、第２作動レバー３２をフック部材１２の軸支部である貫通孔１２ｃの先端に一体回転可能に連結してフックケース１１の側壁の外側に位置させ、トーションスプリング３３を、そのコイル部３３ａにて第１作動レバー３１の軸支部３１ｂの外周に嵌合させた状態にて、その一端部３３ｂをフックケース１１の外側に係止して、かつ、その他端部３３ｃを第１作動レバー３１の一側縁部３１ｂに係止して組付ける組付構造を採っている。このため、トーションスプリング３３の組付け性を向上させるととともに、組付け性の向上に起因して、トーションスプリング３３の選定の自由度を高めることができて、フック部材１２における回動動作の一層の安定化を図ることができる。
【図面の簡単な説明】
【００３３】
【図１】本発明の一実施形態に係る格納式フック装置の一部を縦断した状態の正面図である。
【図２】同格納式フック装置を分解して各構成部材を示す分解斜視図である。
【図３】同格納式フック装置のフック部材を収納した状態の縦断側面図である。
【図４】同格納式フック装置のフック部材を使用可能とした状態の縦断側面図である。
【図５】同格納式フック装置が装備する作動機構のフック部材を収納した状態の側面図である。
【図６】同作動機構のフック部材を使用可能とした状態の側面図である。
【符号の説明】
【００３４】
Ｈ…格納式フック装置、Ｒ…格納室、Ａ…押動操作方向、Ｂ…回動中心、１０…フック装置本体、１１…フックケース、１１ａ，１１ｂ…貫通孔、１２…フック部材、１２ａ…基部、１２ｂ…フック部、１２ｃ…貫通孔、１３…支持軸、２０…保持機構、２１…トレース部材、２１ａ…取付脚部、２１ｂ…トレース部、２２…板バネ、２３…カム溝、３０…作動機構、３０ａ…連結機構、３１…第１作動レバー、３１ａ…レバー本体、３１ｂ…軸支部、３１ｃ…一側縁部、３２…第２作動レバー、３３…トーションスプリング、３３ａ…コイル部、３３ｂ…一端部、３３ｃ…他端部、３４…カムピン、３５…カム溝。
【図１】
2008029367.tif 000003
【図２】
2008029367.tif 000004
【図３】
2008029367.tif 000005
【図４】
2008029367.tif 000006
【図５】
2008029367.tif 000007
【図６】
2008029367.tif 000008